(57)【要約】【課題】手芸の楽しさを体感させることができ、誰でも簡単且つ短時間に、完成度の高い外観を備えた造形物を作製できるようにする。【解決手段】芯材１０と、この芯材１０の表面を覆う繊維シート２０と、この繊維シートの一表面に植毛された複数の植毛用繊維４０と、を有し、植毛用繊維４０は、繊維シート２０に絡められることによって植毛され、繊維シート２０が芯材１０の表面に絡められることによって、繊維シート２０が芯材１０に取り付けられている造形物１及びこの造形物１を製作するための作製方法で上記の課題を解決する。【選択図】図１
2016086821.tif 000002
【特許請求の範囲】
【請求項１】
芯材と、該芯材の表面を覆う繊維シートと、該繊維シートの一表面に植毛された複数の植毛用繊維と、を有し、
前記植毛用繊維は、前記繊維シートに絡められることによって植毛され、前記繊維シートが前記芯材の表面に絡められることによって、前記繊維シートが前記芯材に取り付けられていることを特徴とする造形物。
【請求項２】
造形物の一部を構成するパーツが前記繊維シート上にさらに取り付けられ、
前記パーツは、前記植毛用繊維及び前記繊維シートに絡められている、請求項１に記載の造形物。
【請求項３】
芯材に、繊維シートを被せる被せ工程と、
前記繊維シートの外側からフェルティングニードルを突き刺して該フェルティングニードルの先端側を前記芯材に到達させることと、先端側が前記芯材に到達したフェルティングニードルを引き抜くこととを複数回繰り返すことによって、前記芯材に前記繊維シートを構成する繊維を絡めて前記繊維シートを前記芯材に取り付ける繊維シート取り付け工程と、を有することを特徴とする造形物の作製方法。
【請求項４】
前記被せ工程の前に、
平坦な前記繊維シートの一表面に植毛用繊維を載せて、前記植毛用繊維の上からフェルティングニードルを突き刺して該フェルティングニードルの先端側を前記繊維シートに到達させることと、先端側が前記繊維シートに到達した前記フェルティングニードルを引き抜くこととを複数回繰り返すことによって、前記繊維シートに前記植毛用繊維を絡めて前記植毛用繊維を前記繊維シートに取り付ける植毛用繊維取り付け工程を備えている、請求項３に記載の造形物の作製方法。
【請求項５】
前記繊維シート取り付け工程の後に、
造形物の一部を構成するパーツを前記繊維シート上にさらに載せ、前記パーツの上からフェルティングニードルを突き刺して該フェルティングニードルの先端側を前記繊維シート又は前記芯材に到達させることと、先端側が前記繊維シート又は前記芯材に到達した前記フェルティングニードルを引き抜くこととを複数回繰り返すことによって、前記パーツを、前記植毛用繊維及び前記繊維シートに絡めて前記パーツを前記繊維シートに取り付けるパーツ取り付け工程を備えている、請求項３又は４に記載の造形物の作製方法。
【発明の詳細な説明】
【技術分野】
【０００１】
本発明は、造形物及びその作製方法に関し、さらに詳しくは、繊維を用いて手芸を行うことにより形成された造形物及びその作製方法に関する。
【背景技術】
【０００２】
手芸の分野では、羊毛フェルト等の繊維からなるシートから動物のモチーフ等の造形物を作製することが行われている。手芸によって動物のモチーフ等の造形物を作製する場合、手芸を行った者が造形物にいろいろと工夫を凝らして造形物を作り出されるため、手芸を行う者は、完成した造形物に愛着を感じる。
【０００３】
造形物が動物をモチーフとしたものである場合、完成した造形物の見た目が愛らしいことや、実際の動物に似ていることといった外観は極めて重要である。動物のモチーフの外観を愛らしく作るためには、動物のモチーフのふくらみ加減や絞り込み加減を絶妙に調整することが重要である。また、動物のモチーフの外観を実際の動物に似せるためには、植毛の工程で繊維を揃えて植毛することが重要である。
【０００４】
なお、本発明とは直接の関連は無いが、特許文献１において、熱硬化性樹脂の発泡スポンジを芯材として用い、その芯材の表面に羊毛繊維の小塊片を巻き付け、作業針で羊毛繊維を芯材の内部まで貫入させることによって、フェルト人形を作ることが提案されている。
【先行技術文献】
【特許文献】
【０００５】
【特許文献１】特開２０１２−２４９７４１号公報
【発明の概要】
【発明が解決しようとする課題】
【０００６】
手芸で動物のモチーフを作る場合、造形物の見た目を愛らしく作ることや、実際の動物に似せてつくるためには、手芸の熟練を要する。
【０００７】
その一方で、手芸は子供からお年寄りまで幅広い年齢層の人に楽しんでもらうことも大切である。そのため、誰にでも行える作業で完成度の高い外観を備えた動物のモチーフを作製することができる手法が望まれていた。
【０００８】
本発明は上記課題を解決するためになされたものであり、その目的は、手芸の楽しさを体感させることができ、誰でも簡単且つ短時間に、完成度の高い外観を備えた造形物を作製することができる、繊維で形成された造形物及びその作製方法を提供することにある。
【課題を解決するための手段】
【０００９】
上記課題を解決するための本発明に係る造形物は、芯材と、該芯材の表面を覆う繊維シートと、該繊維シートの一表面に植毛された複数の植毛用繊維と、を有し、前記植毛用繊維は、前記繊維シートに絡められることによって植毛され、前記繊維シートが前記芯材の表面に絡められることによって、前記繊維シートが前記芯材に取り付けられていることを特徴とする。
【００１０】
この発明によれば、植毛用繊維が取り付けられた繊維シートが芯材に被せられ、その繊維シートの繊維が芯材に絡み合わされることによって造形物が形成されているので、外観の完成度が高い造形物を容易且つ短時間で作製できる構造にすることができる。特に、動物をモチーフとした造形物において、動物の体毛として構成される植毛用繊維を芯材に直接植毛して造形物を作製する必要がないので、見た目が愛らしく、実際の動物に似た外観の造形物を誰でも簡単に作製することができる。
【００１１】
本発明に係る造形物において、造形物の一部を構成するパーツが前記繊維シート上にさらに取り付けられ、前記パーツは、前記植毛用繊維及び前記繊維シートに絡められていることを特徴とする。
【００１２】
この発明によれば、造形物が、予め形成された造形物の一部を構成するパーツを用いて作製されているので、造形物の一部を形成する際に、植毛用繊維を直に芯材やこの芯材に取り付けられた繊維シートに植毛する必要がない。そのため、造形物の一部分を容易且つ短時間に取り付けて造形物を完成させることができる。
【００１３】
上記課題を解決するための本発明に係る造形物の作製方法は、芯材に、繊維シートを被せる被せ工程と、前記繊維シートの外側からフェルティングニードルを突き刺して該フェルティングニードルの先端側を前記芯材に到達させることと、先端側が前記芯材に到達したフェルティングニードルを引き抜くこととを複数回繰り返すことによって、前記芯材に前記繊維シートを構成する繊維を絡めて前記繊維シートを前記芯材に取り付ける繊維シート取り付け工程と、を有することを特徴とする。
【００１４】
この発明によれば、芯材に繊維シートを被せ、その後に芯材と繊維シートを構成する繊維とを絡めて繊維シートを芯材に取り付けて造形物を作製しているので、芯材に植毛用繊維を直に取り付ける必要が無く、容易且つ短時間で造形物を作製することができる。
【００１５】
本発明に係る造形物の作製方法において、前記被せ工程の前に、平坦な前記繊維シートの一表面に植毛用繊維を載せて、前記植毛用繊維の上からフェルティングニードルを突き刺して該フェルティングニードルの先端側を前記繊維シートに到達させることと、先端側が前記繊維シートに到達した前記フェルティングニードルを引き抜くこととを複数回繰り返すことによって、前記繊維シートに前記植毛用繊維を絡めて前記植毛用繊維を前記繊維シートに取り付ける植毛用繊維取り付け工程を備えていることを特徴とする。
【００１６】
この発明によれば、平坦な繊維シートに予め植毛用繊維を取り付けることによって造形物を作製するので、毛並みが揃った形態に植毛用繊維を容易に植毛することができる。そのため、外観の完成度が高い造形物を容易且つ短時間で作製することができる。特に、動物をモチーフとした造形物において、動物の体毛として構成される植毛用繊維を芯材に直接植毛して造形物を作製する必要がないので、見た目が愛らしく、実際の動物に似た外観の造形物を誰でも簡単に作製することができる。
【００１７】
本発明に係る造形物の作製方法において、前記繊維シート取り付け工程の後に、造形物の一部を構成するパーツを前記繊維シート上にさらに載せ、前記パーツの上からフェルティングニードルを突き刺して該フェルティングニードルの先端側を前記繊維シート又は前記芯材に到達させることと、先端側が前記繊維シート又は前記芯材に到達した前記フェルティングニードルを引き抜くこととを複数回繰り返すことによって、前記パーツを、前記植毛用繊維及び前記繊維シートに絡めて前記パーツを前記繊維シートに取り付けるパーツ取り付け工程を備えていることを特徴とする。
【００１８】
この発明によれば、予め形成された造形物の一部を構成するパーツを用いて造形物が作製されているので、造形物の一部を形成する際に、植毛用繊維を直に芯材やこの芯材に取り付けられた繊維シートに植毛する必要がない。そのため、造形物の一部分を容易且つ短時間に取り付けて造形物を完成させることができる。
【発明の効果】
【００１９】
本発明によれば、手芸の楽しさを体感させることができ、誰でも簡単且つ短時間に、完成度の高い外観を備えた造形物を作製することができる。
【図面の簡単な説明】
【００２０】
【図１】本発明に係る造形物の一実施形態を示す斜視図である。
【図２】本発明に係る造形物を構成する部材を展開した状態で示す展開図である。
【図３】動物をモチーフとした造形物の写真である。
【図４】別の動物をモチーフとした造形物の写真である。
【図５】被せ工程及び繊維シート取り付け工程を説明するための説明図である。
【図６】フェルティングニードルを説明するための説明図である。
【図７】植毛用繊維取り付け工程を説明するための説明図である。
【図８】パーツ取り付け工程を説明するための説明図である。
【図９】芯材の繊維、繊維シートの繊維、パーツの繊維及び植毛用繊維を部分的に拡大して示した部分拡大図である。
【図１０】本発明の製作方法とは別の作製工程を説明するための説明図である。
【発明を実施するための形態】
【００２１】
以下、本発明の実施形態について図面を参照しながら説明する。なお、本発明の技術的範囲は、以下の記載や図面にのみ限定されるものではない。
【００２２】
［造形物］
〈基本構成〉
本発明に係る繊維で構成された造形物１は、図１及び図２に示すように、主として、芯材１０、繊維シート２０及び植毛用繊維４０によって構成されている。植毛用繊維４０は、繊維シート２０に絡められることによって植毛されている。また、繊維シート２０は、芯材１０の表面に絡められることによって芯材１０に取り付けられている。
【００２３】
この構成を有する造形物１によれば、手芸の楽しさを体感させることができ、誰でも簡単且つ短時間に、完成度の高い外観を備えることができるという特有の効果を奏することができる。
【００２４】
なお、この構成の造形物１の対象になるモチーフは、特に限定は無いが、以下では、動物をモチーフにした場合を例にして、造形物１の各構成について説明する。
【００２５】
〈造形物を構成する部材〉
造形物１を構成する部材は、図２に示すように、造形物１の芯をなす芯材１０と、芯材１０に被せるための繊維シート２０と、繊維シート２０に絡み合わされた植毛用繊維４０とを備えている。また、造形物１は、その一部を構成しているパーツ３０が必要に応じて設けられる。なお、繊維シート２０の一表面には、植毛用繊維４０が予め植毛されている。また、パーツ３０のうち、耳を構成するパーツ３１，３２及び尾を構成するパーツ３３には、植毛用繊維４０が繊維シート２０に予め植毛されている。
【００２６】
（芯材）
芯材１０は、複数の繊維が丸められた所定の形状をなす繊維の塊である。芯材１０は、図１において、点線で示した部材である。芯材１０に用いられる繊維５としては、例えば、羊毛が好ましく用いられる。特に、羊毛の繊維を相互に絡み合わせてシート状に形成した羊毛フェルトが好ましく用いられる。羊毛フェルトは、織フェルト及びニードルフェルトのどちらも使用することができる。
【００２７】
羊毛フェルトを芯材１０に用いる場合、シート状の羊毛フェルトを手でほぐし、ほぐされた羊毛フェルトを丸めて羊毛繊維の塊を形成して芯材１０とする。
【００２８】
（繊維シート）
繊維シート２０は、複数の繊維５が相互に絡み合ったシート状をなす部材である。この繊維シート２０は、芯材１０の表面の所定の位置に被せて取り付けることができるように、所望の大きさ及び形状に形成されている。また、繊維シート２０は、芯材１０の表面全体を覆うことができるように複数用いられている。この繊維シート２０の大きさ、外形及び数は、芯材１０の大きさ及び形状に応じて形成される。
【００２９】
図２に示す例では、繊維シート２０は、芯材１０の上部に被せるための繊維シート２１、芯材１０の下部に被せるための繊維シート２２、芯材１０の前部に被せるための繊維シート２３、及び芯材１０の後部に被せるための繊維シート２４とから構成されている。繊維シート２１は、芯材１０の上部を覆うことができる大きさの扇形に形成されている。繊維シート２２は、芯材１０の下部を覆うことができる大きさの扇形に形成されている。一方、繊維シート２３は、芯材１０の前部を覆うことができる大きさに形成されている。図２に示す例では、繊維シート２３は、任意の形状をなしている。同様に、繊維シート２４は、芯材１０の後部を覆うことができる大きさに形成されており、その形状は任意の形状をなしている。
【００３０】
繊維シート２０の繊維５は、芯材１０を構成する繊維５と同様である。例えば、繊維シート２０の繊維５は、羊毛が好ましく用いられ、特に、羊毛の繊維を相互に絡み合わせてシート状に形成した羊毛フェルトが好ましく用いられる。羊毛フェルトを繊維シート２０として用いる場合、芯材１０の繊維５及び植毛用繊維４０が繊維シート２０の繊維５に絡み易くするように、繊維シート２０の密度及び厚さを適切な密度と厚さに形成するとよい。なお、繊維シート２０の一表面には、下記の植毛用繊維４０が予め植毛されている。
【００３１】
（植毛用繊維）
植毛用繊維４０は、上記の芯材１０を構成する繊維５や繊維シート２０を構成する繊維５と同様に、羊毛が好ましく用いられている。なお、植毛用繊維４０として、羊毛フェルトを用いる場合、シート状の羊毛フェルトを引き裂いて、羊毛フェルトは、適切な大きさ及び密度に形成される。
【００３２】
（パーツ）
パーツ３０は、必要に応じて設けられる。図１に示す動物のモチーフの造形物１を作製する場合、耳を構成するパーツ３１，３２、尾を構成するパーツ３３及び目を構成するパーツ３４，３５が用意される。なお、耳を構成するパーツ３１，３２及び尾を構成するパーツ３３は、繊維シート２０と、繊維シート２０に植毛された植毛用繊維４０とにより構成されている。一方、目を構成するパーツ３４，３５は、例えば、樹脂等で構成されている。
【００３３】
耳を構成するパーツ３１，３２及び尾を構成するパーツ３３は、植毛用繊維４０が絡められた繊維シート２０上に取り付けられている。具体的に、各パーツ３１，３２は、各々のパーツ３１，３２を構成する繊維５が芯材１０の繊維５、繊維シート２０の繊維５及び植毛用繊維４０に絡められることによって取り付けられている。これに対し、目を構成するパーツ３４，３５は、植毛用繊維４０が取り付けられている繊維シート２０に接着剤により取り付けられている。
【００３４】
図３は、上述した各構成により構成された造形物１の一例を示す写真である。この写真の左側３個の造形物１は、ハムスターをモチーフにしたものである。写真の右側の造形物は、リスをモチーフにしたものである。完成した動物の造形物１は、この写真に示すように、絶妙なふくらみ加減と絞り込み加減とを有しており、愛らしい外観を備えている。
【００３５】
図４は、上述した各構成により構成された別の造形物１の写真である。この写真に示す造形物１は、猫をモチーフにしたものである。完成した猫の造形物１は、この写真に示すように、その毛並みが実際の猫の毛並みに非常に似ており、リアリティある外観を備えている。
【００３６】
［造形物の作製方法］
次に、図５〜図８を参照して、造形物１の作製方法について説明する。
【００３７】
〈基本工程〉
造形物１を作製するための基本工程は、繊維シート２０を芯材１０に被せる被せ工程と、繊維シート２０を芯材１０と絡めることによって繊維シート２０を芯材１０に取り付ける繊維シート取り付け工程とにより構成されている。図５を参照し、この被せ工程及び繊維シート取り付け工程について説明する。
【００３８】
（被せ工程）
被せ工程は、繊維５同士が相互に絡まって塊として構成された芯材１０に、繊維５からなるシート状の繊維シート２０を被せる工程である。
【００３９】
芯材１０は、上記のように、例えば、羊毛の繊維５により構成されている。芯材１０は、こうした繊維５を丸めることによって繊維５の塊として構成されている。なお、造形物１の外形は、次のシート取り付け工程で調整しながら形成させるので、芯材１０の形状は、完成される造形物１の外形と完全に一致していることまでは必要ない。
【００４０】
繊維シート２０は、芯材１０の所定の位置にそれぞれ被せされる。例えば、図５（Ａ）に示すように、繊維シート２１は芯材１０の上部に被せられる。繊維シート２１が芯材１０の上部に被せられた後、繊維シート２０を芯材１０に取り付けるために、次の繊維シート取り付け工程が実施される。
【００４１】
（繊維シート取り付け工程）
繊維シート取り付け工程は、芯材１０を構成する繊維５と繊維シート２０を構成する繊維５とを絡めて繊維シート２０を芯材１０に取り付ける工程である。この工程では、図５に示すフェルティングニードル５０が用いられる。そこで、このフェルティングニードル５０について説明する。
【００４２】
フェルティングニードル５０は、図６に示すように、先端側が先細り形状をなす針である。なお、図６（Ａ）は、フェルティングニードル５０の全体を示す斜視図であり、図６（Ｂ）は、図６（Ａ）のＢ部を拡大して示した拡大図である。また、図６（Ｃ）は、図６（Ｂ）のＣ部を拡大して示した拡大図である。
【００４３】
先細り形状をなす部分５１の表面には、返し５４が複数形成されている。この返し５４は、フェルティングニードル５０を芯材１０や繊維シート２０に突き刺したときに、芯材１０を構成する繊維５や繊維シート２０を構成する繊維５を引っ掛けるための部位である。
【００４４】
造形物１は、このフェルティングニードル５０を用いて作成する。なお、フェルティングニードル５０は、そのまま用いることができるが、フェルティングニードル５０を手で持ちやすくするために、フェルティングニードル５０の柄５２の部分にケース６１を被せて、専用ニードル６０を形成して使用することもできる。本明細書及び図面には、フェルティングニードル５０の柄５２の部分にケース６１を被せた場合を例に挙げて説明している。また、専用ニードル６０は、複数のフェルティングニードル５０を並列に並べ、各フェルティングニードル５０の柄５２の部分にケース６１を被せて形成してもかまわない。
【００４５】
上記のように、造形部１を製作する者は、フェルティングニードル５０を、ケース６１を被せずにそのままの形態で用いたり、ケース６１を柄５２の部分に被せて用いたり、又は複数のフェルティングニードル５０をケース６１で束ねて使用したりすることができる。このような形態の違いは、造形部１を製作する者が使いやすい形態でフェルティングニードル５０を使用すればよく、いずれかの形態のフェルティングニードル５０で製作することには限定されない。
【００４６】
この繊維シート取り付け工程では、芯材１０に被せられた繊維シート２０の上から専用ニードル６０のフェルティングニードル５０を突き刺す作業と引き抜く作業とが繰り返し行われる。具体的には、芯材１０に被せられた繊維シート２０の外側から専用ニードル６０を構成する２本のフェルティングニードル５０を芯材１０に向けて突き刺し、フェルティングニードル５０を芯材１０に到達させる。繊維シート２０を構成している繊維５は、フェルティングニードル５０を突き刺す過程で各フェルティングニードル５０に形成された返し５４に引っ掛けられ、フェルティングニードル５０の先端側が繊維シート２０に到達することに伴って、芯材１０の内部に引き込まれる。
【００４７】
次いで、先端側が芯材１０の内部に到達したフェルティングニードル５０を引き抜く。その際、芯材１０の内部に引き込まれた繊維シート２０の繊維は、芯材１０の内部にそのまま残され、フェルティングニードル５０だけが引き抜かれる。繊維シート取り付け工程は、この作用を複数回繰り返すことによって、繊維シート２０を構成する繊維と芯材１０を構成する繊維とを絡み合わせている。
【００４８】
繊維シート取り付け工程では、繊維シート２０を上記のようにして取り付けた後、図５（Ｂ）に示すように、同様の作業を行うことによって、繊維シート２２を芯材１０の芯材１０の下部に取り付ける。同様に、芯材１０の前部に繊維シート２３を取り付け、芯材１０の後部に繊維シート２４を取り付ける。
【００４９】
この繊維シート取り付け工程において、繊維シート２１，２２，２３，２４が芯材１０の表面に取り付けられると、図５（Ｃ）に示す造形物１の半製品２が形成される。
【００５０】
（植毛用繊維取り付け工程）
造形物１の作製工程は、上述した被せ工程が実施される前工程として、植毛用繊維取り付け工程を備えている。この植毛用繊維取り付け工程は、図７に示すように、繊維シート２０の一表面に、植毛用繊維４０を載せ、植毛用繊維４０と繊維シート２０を構成する繊維５とを絡めることによって、植毛用繊維４０を繊維シート２０に取り付ける工程である。より具体的には、植毛用繊維取り付け工程では、繊維シート２０の一表面に、複数の植毛用繊維４０が絡み合った植毛用繊維４０の束を載せ、植毛用繊維４０と繊維シート２０を構成する繊維５とを絡めている。
【００５１】
この植毛用繊維取り付け工程でも、フェルティングニードル５０の柄５２にケース６１を被せた専用ニードル６０が用いられる。この工程では、植毛用繊維４０が載せられた繊維シート２０の上から、専用ニードル６０を構成するフェルティングニードル５０を突き刺す作業と引き抜く作業とが繰り返し行われる。その際、繊維シート２０は、作業用マット７０の上に載せられる。
【００５２】
具体的に、図７（Ａ）に示すように、繊維シート２０の一表面に植毛用繊維４０の束を載せた後、専用ニードル６０のフェルティングニードル５０を植毛用繊維４０の束の上から繊維シート２０に向けて突き刺して、フェルティングニードル５０の先端側を繊維シート２０に到達させる。植毛用繊維４０は、フェルティングニードル５０を突き刺す過程でフェルティングニードル５０に形成された返し５４に引っ掛けられ、フェルティングニードル５０の先端側が繊維シート２０に到達することに伴って、繊維シート２０に引き込まれる。次いで、先端側が繊維シート２０に到達したフェルティングニードル５０を引き抜く。その際、繊維シート２０に引き込まれた植毛用繊維４０は、繊維シート２０にそのまま残され、フェルティングニードル５０だけが引き抜かれる。
【００５３】
植毛用繊維取り付け工程では、この作用を複数回繰り返すことによって、繊維シート２０を構成する繊維５と植毛用繊維４０とを絡み合わせている。植毛用繊維４０は、繊維シート２０を構成する繊維５に絡み合わされることによって繊維シート２０の一表面に取り付けられている。
【００５４】
この植毛用繊維取り付け工程では、図７（Ｂ）に示すように、一定の大きさをなす植毛用繊維４０の束を繊維シート２０の異なる位置に順次に載せて、専用ニードル６０を使用して、上記と同様の作業を行う。そして、図７（Ｃ）に示すように、植毛用繊維４０を繊維シート２０の一表面にまんべんなく植毛させる。
【００５５】
この植毛用繊維取り付け工程では、平坦な繊維シート２０の一表面に植毛用繊維４０を植毛するので、植毛用繊維４０の毛並みを揃えることが容易に行える。そのため、植毛用繊維４０が植毛された繊維シート２０を用いて動物等の造形物１を作製した場合、実際の動物に非常に似た外観を有する造形物を製作することができる。
【００５６】
（パーツ取り付け工程）
この造形物１の作製工程は、上述した繊維シート取り付け工程の後に、パーツ取り付け工程を備えている。このパーツ取り付け工程は、造形物１の一部を構成するパーツ３０を、植毛用繊維４０が絡められた繊維シート２０上に取り付ける工程である。パーツ取り付け工程について、図８を参照して説明する。
【００５７】
パーツ取り付け工程では、図８（Ａ）に示すように、パーツ３０を繊維シート２０上に載せ、フェルティングニードル５０の柄５２にケース６１を被せた専用ニードル６０を用い、パーツ３０の繊維５を植毛用繊維４０、繊維シート２０の繊維５及び芯材１０の繊維５に絡めてパーツ３０を繊維シート２０に取り付けている。なお、図８（Ａ）は、耳として構成されるパーツ３１を取り付ける工程を示している。
【００５８】
このパーツ取り付け工程では、まず、繊維シート２０に載せられたパーツ３１の上からフェルティングニードル５０を突き刺し、フェルティングニードル５０の先端側を繊維シート２０又は芯材１０に到達させている。フェルティングニードル５０を突き刺す過程で、パーツ３１の繊維５は、フェルティングニードル５０に形成された返し５４に引っ掛けられ、フェルティングニードル５０の先端側が繊維シート２０又は芯材１０の内部に到達することに伴って、繊維シート２０又は芯材１０の内部に引き込まれる。なお、パーツ３１を構成する繊維５は、フェルティングニードル５０を突き刺す深さに応じて、繊維シート２０にだけ引き込まれたり、芯材１０の内部にまで引き込まれたりする。
【００５９】
次いで、先端側が繊維シート２０又は芯材１０の内部に到達したフェルティングニードル５０が引き抜かれる。その際、繊維シート２０又は芯材１０の内部に引き込まれたパーツ３１の繊維５は、繊維シート２０又は芯材１０の内部にそのまま残され、フェルティングニードル５０だけが引き抜かれる。
【００６０】
このパーツ取り付け工程では、フェルティングニードル５０の突き刺しと引き抜きとが複数回繰り返されるとによって、パーツ３１を構成する繊維５が植毛用繊維４０、繊維シート２０の繊維５又は芯材１０の繊維５に絡み合わされて、パーツ３１が繊維シート２０に取り付けられる。
【００６１】
このパーツ取り付け工程では、一方の耳を構成するパーツ３１が半製品２の外表面を構成している繊維シート２０に取り付けられた後、他方の耳を構成するパーツ３２、及び尾を構成するパーツ３３が取り付けられる。
【００６２】
また、このパーツ取り付け工程では、目を構成する２個のパーツ３４，３５が接着剤によって繊維シート２０の表面に接着される。半製品にパーツ３４，３５が接着されることによって、図８（Ｂ）に示す形態の造形物１が完成する。
【００６３】
以上、造形物１が小動物のモチーフである場合を例にして説明した。しかしながら、造形物１は、例えば、パンダやライオン等、小動物以外の動物をモチーフにすることもできる。また、動物以外の建造物や想像上のキャラクタ等をモチーフにすることもできる。
【００６４】
以上の芯材１０を構成する繊維５、繊維シート２０を構成する繊維５、パーツ３０を構成する繊維５及び植毛用繊維４０の具体的な構成について説明する。造形物１は、芯材１０を構成する繊維５、繊維シート２０を構成する繊維５、パーツ３０を構成する繊維５及び植毛用繊維４０が相互に絡み合わされることによって形成されている。そのため、これらの繊維５は、相互に絡み合わせ易いものを用いることが好ましい。
【００６５】
図９は、繊維５の周面構造の一例を示している。図９に示した繊維５は、その周面に鱗状の層６を有している。芯材１０、繊維シート２０、パーツ３０及び植毛用繊維４０が、図９に示した繊維５により構成されている場合、各々を構成する繊維５の周面に設けられた鱗状の層６が互いに引っ掛かり合い、繊維５同士が絡み合いやすくなる。そのため、図９に示した繊維５によれば、フェルティングニードルで作業を行う場合に、造形物１の造形を容易に行うことができる。
【００６６】
なお、こうした造形物１を手芸で作製する場合、繊維の塊である芯材の表面に繊維を直接絡めることによって作製する手法もある。
【００６７】
図１０は、芯材の表面に繊維を直接絡めることによって造形物１０１を作製する作製工程の概略を示すものである。この図１０に示す造形物１０１の作製工程は、まず、繊維５を丸めることによって繊維の塊である芯材１１０を形成する。次に、芯材１１０の表面に繊維１４０を載せ、フェルティングニードル５０を用いて、繊維１４０を芯材１１０の表面に絡めている。なお、この図１０に示すように、芯材１１０の繊維と繊維１４０とを絡める際に、フィルティングニードル５０の柄５２にケース６１を被せた専用ニードル６０を用いている。
【００６８】
フェルティングニードルを用いて繊維１４０を芯材１１０の表面に絡める際、芯材１１０の表面に載せた繊維１４０の上からフェルティングニードル５０を突き刺し、フェルティングニードル５０の先端側を芯材１１０の内部に到達させ、先端側が芯材１１０の内部に到達したフェルティングニードル５０を引き抜くことを複数回繰り返すことによって、芯材１１０の繊維と繊維１４０とを絡めている。
【００６９】
図１０に示す造形物の作製方法により動物の造形物１０１を作製した場合でも、図３の写真に示したハムスターやリスのように、造形物１０１に絶妙なふくらみ加減と絞り込み加減とを与えることができ、愛らしい外観の造形物１０１を作ることはできる。また、この造形物の作製方法により動物の造形物１０１を作製した場合でも、図４の写真に示した猫のように、その毛並みが実際の猫の毛並みに非常に似たリアリティある外観を備えた造形物に仕上げることはできる。
【００７０】
ところが、この作製方法は、立体的な芯材１１０に植毛用繊維１４０を直接植毛しているので、毛並みが揃った形態に植毛用繊維１４０を植毛することが困難であり、熟練を要する。また、植毛用繊維１４０は、少量ずつ芯材１１０の表面に植毛するので、完成した造形物１０１に絶妙なふくらみ加減と絞り込み加減とを与えることが困難であり、熟練を要する。
【００７１】
これに対し、繊維シートを用いた方法で造形物を作製した場合、造形物１に妙なふくらみ加減と絞り込み加減とを与えることが容易に行える。また、植毛用繊維４０を平面状の繊維シートに植毛するため、毛並みが揃った形態に植毛用繊維１４０を植毛することが容易である。そのため、繊維シートを用いた方法によれば、手芸の楽しさを体感させることができ、誰でも簡単且つ短時間に、完成度の高い外観を備えた造形物を作製できる。
【符号の説明】
【００７２】
１  造形物
２  半製品
５  繊維
６  鱗状の層
１０  芯材
２０  繊維シート
２１，２２，２３，２４  繊維シート
３０  パーツ
３１，３２  耳を構成するパーツ
３３  尾を構成するパーツ
３４，３５  目を構成するパーツ
４０  植毛用繊維
５０  フェルティングニードル
５１  フェルティングニードルの先細り形状をなす部分
５２  フェルティングニードルの柄
５４  返し
６０  専用ニードル
６１  ケース
【図６】
2016086821.tif 000003
【図７】
2016086821.tif 000004
【図８】
2016086821.tif 000005
【図９】
2016086821.tif 000006
【図１】
2016086821.tif 000007
【図２】
2016086821.tif 000008
【図３】
2016086821.tif 000009
【図４】
2016086821.tif 000010
【図５】
2016086821.tif 000011
【図１０】
2016086821.tif 000012